(57)【特許請求の範囲】
【請求項１】
橋脚の躯体周囲を鋼板により巻き立てて耐震補強する工法において、上記躯体の基部における上記鋼板の外側であって、その橋脚軸に対して直角方向に型鋼を沿設すると共に、該型鋼をアンカー鉄筋により上記橋脚のフーチングに定着し、さらに、上記鋼板と型鋼の間に縁切り材を挟設することを特徴とする橋脚の耐震補強工法。
【請求項２】
上記型鋼がＨ型鋼であることを特徴とする請求項１に記載の橋脚の耐震補強工法。
【請求項３】
上記縁切り材が発泡スチロール等の緩衝材であることを特徴とする請求項１または２に記載の橋脚の耐震補強工法。
【請求項４】
橋脚の躯体周囲を鋼板により巻き立てて耐震補強する工法において、上記鋼板の内側にズレ止め手段を設けたことを特徴とする請求項１、２または３に記載の橋脚の耐震補強工法。
【発明の詳細な説明】
【０００１】
【発明が属する技術分野】
本発明は、橋脚の耐震補強工法に関するものである。
【０００２】
【従来の技術】
一般に、既存の鉄筋コンクリート橋脚においては、その躯体周囲を鋼板により巻き立てて耐震補強を施す工法が行われている。しかし、特に図２に示すような壁式鉄筋コンクリート橋脚に鋼板を巻き立てたものにおいては、図２（Ｃ）に仮想線で示すように、地震時に鋼板が外側に膨らみ、その結果、橋脚の主鉄筋の座屈が発生し易くなったり、躯体基部のせん断ずれが起き易くなる等の不都合があった。
【０００３】
これらの不都合を防止するために、従来、図３（Ａ）に示すように、既設橋脚に貫通孔を開けて貫通ボルトを挿設し、上記巻き立て鋼板の膨らみを防止したり、あるいは、図３（Ｂ）に示すように、巻き立て鋼板の下端部にアングルを沿設すると共に溶接して一体化し、さらに該アングルをアンカー鉄筋によりフーチングに固定し、既設橋脚の曲げ耐力を向上させる耐震補強工法があった。
【０００４】
しかしながら、上記従来の耐震補強工法のうち貫通ボルトを使用するものにおいては、貫通孔を削孔する際に主鉄筋等を切断してしまう恐れがあるだけでなく、この従来工法では、柱基部のせん断ずれを防止することは出来ない等の問題点があった。また、後者のアングルを溶接する工法では、耐震性能を改善するだけでなく曲げ耐力をも増加させてしまうので、フーチングに比べて躯体の耐震性能が過剰に増強され、その結果、フーチングの補強も必要となってくる等の問題点があった。
【０００５】
さらに、上記壁式鉄筋コンクリート橋脚は、一般に、図４に示すように、主鉄筋の段落としを有するものが多いが、このような段落とし橋脚の補強工法として鋼板巻き立てを行う場合、橋脚の躯体コンクリートと巻き立て鋼板の付着が十分でないと、段落とし補強も不完全になる等の問題点もあった。
【０００６】
【発明が解決しようとする課題】
本発明は、上記従来の問題点を解決するためになされたもので、その目的とするところは、躯体に貫通孔を開けたりフーチングの補強をすることなく、主鉄筋の座屈を防止したり、躯体基部のせん断ずれを防止することが可能で、また、段落とし補強を向上せしめることが可能な橋脚の耐震補強工法を提供することにある。
【０００７】
【課題を解決するための手段】
本発明の橋脚の耐震補強工法は、橋脚の躯体周囲を鋼板により巻き立てて耐震補強する工法において、上記躯体の基部における上記鋼板の外側であって、その橋脚軸に対して直角方向に型鋼を沿設すると共に、該型鋼をアンカー鉄筋により上記橋脚のフーチングに定着し、さらに、上記鋼板と型鋼の間に縁切り材を挟設することを特徴とする。上記型鋼がＨ型鋼であることも特徴とする。さらに、上記縁切り材が発泡スチロール等の緩衝材であることも特徴とする。
【０００８】
また、橋脚の耐震補強工法は、橋脚の躯体周囲を鋼板により巻き立てて耐震補強する工法において、上記鋼板の内側にズレ止め手段を設けたことを特徴とする。
【０００９】
【発明の実施の形態】
以下、本発明の実施例について図面を参照しながら説明する。図１（Ａ）（Ｂ）において、１は壁式鉄筋コンクリート橋脚であって、主として、壁状の躯体１ａと橋座部１ｂとフーチング１ｃから構成されている。なお、躯体１ａの上端部を橋座部１ｂとしてもよい。２は巻き立て鋼板であって、上記躯体１の周囲に巻き立てられている。
【００１０】
３はＨ型鋼であって、上記壁式鉄筋コンクリート橋脚１の躯体１ａの基部における上記巻き立て鋼板２の外側の橋軸直角方向に沿設されている。図１（Ｃ）からも明らかなように、上記Ｈ型鋼３は、そのフランジ部３ａが垂直方向を、また、ウエブ部３ｂが水平方向を向くように配向されている。４はアンカー鉄筋であって、上記フーチング１ｃに定着されており、その上端部は、上記Ｈ型鋼３のウエブ部３ｂを貫通して、ナット４ａによりＨ型鋼３を締め付け固定している。
【００１１】
５は発泡スチロールのような緩衝材であって、壁式鉄筋コンクリート橋脚１の躯体１ａの基部における上記巻き立て鋼板２と上記Ｈ型鋼３のフランジ部３ａとの間に挟設されており、鋼板２とＨ型鋼３を縁切りして、壁式鉄筋コンクリート橋脚１の補強後の曲げ耐力を補強前と変更しないようにしている。その結果、上記フーチング１ｃを補強する必要がない。
【００１２】
また、上記Ｈ型鋼３と上記フーチング１ｃの間の空隙には、充填モルタル６を注入して、上記アンカー鉄筋４の水平方向変形を防止している。
【００１３】
図１（Ｄ）において、７はズレ止め鉄筋であって、上記巻き立て鋼板２の裏面（橋脚１側）に溶接により一体的に付設されている。なお、該ズレ止め鉄筋７の太さ、長さ、本数、配置方向や密度等は、目的の応じて適宜に選択設定する。橋脚１の躯体１ａと巻き立て鋼板２の隙間には充填モルタル８が注入されている。
【００１４】
上記実施例では、鋼板２の膨らみを防止する型鋼としてＨ型鋼３を使用しているが、本発明の型鋼はこれに限定するものではなく、アングル（山型鋼）、Ｌ型鋼、溝型鋼等の従来公知の型鋼であって、フーチングに固定可能であればいずれでもよい。
【００１５】
また、上記実施例では、鋼板２とＨ形鋼３との縁切り材として発泡スチロールを使用しているが、本発明はこれに限定するものではなく、Ｈ形鋼３と橋脚１との付着をなくして橋脚１の曲げ耐力を強化しない充填材料であればいずれでもよい。
【００１６】
さらに、上記実施例では、巻き立て鋼板２のズレ止め手段として、鋼板２の裏面に鉄筋７を溶接すると共に、隙間に充填モルタル８を注入しているが、本発明はこれに限定するものではなく、例えば、鋼板２をプレス加工などにより少なくとも裏側に凹部（コッタ）や凸部を形成する等、鋼板２と充填モルタル８が確実かつ強力に一体化される構成や形状であればいずれでもよい。
【００１７】
【発明の効果】
１）橋脚の躯体周囲を鋼板により巻き立てて耐震補強する工法において、上記躯体の基部における上記鋼板の外側の橋軸直角方向に型鋼を沿設すると共に、該形鋼をアンカー鉄筋によりフーチングに定着し、さらに、上記鋼板と型鋼を縁切りするようにしたので、躯体に貫通孔を開けたりフーチングの補強をすることなく、主鉄筋の座屈を防止したり、躯体基部のせん断ずれを防止することが可能である。
２）橋脚の躯体周囲を鋼板により巻き立てて耐震補強する工法において、上記鋼板の内側にズレ止め手段を設けたので、鋼板の橋脚躯体に対する付着を高めその結果、段落とし補強を向上せしめることが可能となる。
【図面の簡単な説明】
【図１】耐震補強を施した本発明の橋脚の一実施例を示すもので、図１（Ａ）は橋軸方向から見た図、図１（Ｂ）は橋軸直角方向から見た図、図１（Ｃ）は（Ｂ）の範囲イの拡大図、および図１（Ｄ）は（Ｂ）の範囲ロの拡大断面図である。
【図２】既存の橋脚に巻き立てた鋼板の膨らみの説明図である。
【図３】従来の耐震補強工法の説明図（Ａ）および（Ｂ）である。
【図４】段落とし橋脚の配筋説明図（Ａ）および（Ｂ）である。
【符号の説明】
１  壁式鉄筋コンクリート橋脚
１ａ  躯体
１ｂ  橋座部
１ｃ  フーチング
２  巻き立て鋼板
３  Ｈ型鋼
３ａ  フランジ部
３ｂ  ウエブ部
４  アンカー鉄筋
４ａ  ナット
５  緩衝材
６  充填モルタル
７  ズレ止め鉄筋
８  充填モルタル
【図１】
0004055295.tif 000002
【図２】
0004055295.tif 000003
【図３】
0004055295.tif 000004
【図４】
0004055295.tif 000005